【手続補正書】
【提出日】平成19年2月1日(2007.2.1)
【手続補正１】
【補正対象書類名】明細書
【補正対象項目名】特許請求の範囲
【補正方法】変更
【補正の内容】
【特許請求の範囲】
【請求項１】
表面が移動可能な感光体と、前記感光体表面を帯電させる帯電装置と、帯電後の前記感光体表面を露光して静電潜像を形成する露光装置と、前記静電潜像にトナーを付着させてトナー像として現像する現像装置と、前記トナー像が転写される転写材を担持搬送する転写材搬送部材と、前記転写材搬送部材に担持された転写材に前記感光体上のトナー像を転写する転写装置と、トナー像転写後の前記感光体表面を清掃するクリーニング装置とを備え、前記転写材搬送部材に付着した不要なトナーを静電的に前記感光体に逆転写させて前記クリーニング装置によって除去する画像形成装置において、
前記感光体に対向する前記現像装置の開口部の長手方向両端部近傍から漏れ出て前記感光体を介して前記転写材搬送部材に付着するトナーを端部漏れトナーとしたときに、
前記転写材搬送部材の移動方向に沿っての前記感光体の上流側に配設されて、前記端部漏れトナーが付着する前記転写材搬送部材上の領域に当接するとともに、前記端部漏れトナーを前記転写材搬送部材から前記感光体に逆転写される極性に帯電する漏れトナー帯電部材を備えたことを特徴とする画像形成装置。
【請求項２】
前記クリーニング装置が前記感光体表面をクリーニングする領域をクリーニング部材有効面長としたときに、
前記クリーニング部材有効面長が、前記現像装置の開口部の長手方向の両端部間の距離よりも長く設定されている、
ことを特徴とする請求項１に記載の画像形成装置。
【請求項３】
前記帯電装置が前記感光体表面を帯電する領域を帯電装置有効面長、前記漏れトナー帯電部材が前記転写材搬送部材と接触する領域を漏れトナー帯電部材有効面長としたときに、
前記帯電装置有効面長と前記漏れトナー帯電部材有効面長とが、前記現像装置の開口部の長手方向の両端部間の距離よりも長く設定されていることを特徴とする請求項２に記載の画像形成装置。
【請求項４】
前記転写材搬送部材の移動方向に沿っての前記感光体の上流側で、前記転写材搬送部材に当接するように配設されて、転写材を帯電させて前記転写材搬送部材に吸着させる吸着部材を備え、
前記吸着部材の長手方向の有効面長を、前記現像装置の開口部の長手方向の両端部間の距離よりも長く設定することにより、前記吸着部材に前記漏れトナー帯電部材を兼ねさせたことを特徴とする請求項２又は３記載の画像形成装置。
【請求項５】
前記転写材搬送部材の移動方向に沿っての前記感光体の上流側で、前記転写材搬送部材に当接するように配設されて、転写材を帯電させて前記転写材搬送部材に吸着させる吸着部材を備え、
前記漏れトナー帯電部材は、前記吸着部材の長手方向の有効面長の外側における前記端部漏れトナーが付着する前記転写材搬送部材上の領域に当接するように配設された専用の部材であることを特徴とする請求項２又は３記載の画像形成装置。
【請求項６】
表面が移動可能な感光体と、前記感光体表面を帯電させる帯電装置と、帯電後の前記感光体表面を露光して静電潜像を形成する露光装置と、前記静電潜像にトナーを付着させてトナー像として現像する現像装置と、前記トナー像が転写される中間転写体と、前記感光体上のトナー像を前記中間転写体に転写する第１の転写装置と、前記中間転写体上のトナー像を転写材に転写する第２の転写装置と、トナー像転写後の前記感光体表面を清掃するクリーニング装置とを備え、前記中間転写体に付着した不要なトナーを静電的に前記感光体に逆転写させて前記クリーニング装置によって除去する画像形成装置において、
前記感光体に対向する前記現像装置の開口部の長手方向両端部近傍から漏れ出て前記感光体を介して前記中間転写体に付着するトナーを端部漏れトナーとしたときに、
前記中間転写体の移動方向に沿っての前記感光体の上流側に配設されて、前記端部漏れトナーが付着する前記中間転写体上の領域に当接するとともに、前記端部漏れトナーを前記中間転写体から前記感光体に逆転写される極性に帯電する漏れトナー帯電部材を備えたことを特徴とする画像形成装置。
【請求項７】
表面が移動可能な感光体と、前記感光体表面を帯電させる帯電装置と、帯電後の前記感光体表面を露光して静電潜像を形成する露光装置と、前記静電潜像にトナーを付着させてトナー像として現像する現像装置と、前記トナー像が転写される転写材を担持搬送する転写材搬送部材と、前記転写材搬送部材に担持された転写材に前記感光体上のトナー像を転写する転写装置と、トナー像転写後の前記感光体表面を清掃するクリーニング装置とを備える画像形成装置において、
前記感光体に対向する前記現像装置の開口部の長手方向両端部近傍から漏れ出て前記感光体を介して前記転写材搬送部材に付着するトナーを端部漏れトナーとしたときに、
前記転写材搬送部材の移動方向に沿っての前記感光体の上流側に配設されて、前記端部漏れトナーが付着する前記転写材搬送部材上の領域に当接するとともに、前記端部漏れトナーを前記転写材搬送部材から前記感光体に逆転写される極性に帯電する漏れトナー帯電部材を備え、かつ、
前記クリーニング装置が前記感光体表面をクリーニングする領域をクリーニング部材有効面長としたときに、
前記クリーニング部材有効面長が、前記現像装置の開口部の長手方向の両端部間の距離よりも長く設定されていることを特徴とする画像形成装置。
【手続補正２】
【補正対象書類名】明細書
【補正対象項目名】００１５
【補正方法】変更
【補正の内容】
【００１５】
【課題を解決するための手段】
請求項１に係る発明は、表面が移動可能な感光体と、前記感光体表面を帯電させる帯電装置と、帯電後の前記感光体表面を露光して静電潜像を形成する露光装置と、前記静電潜像にトナーを付着させてトナー像として現像する現像装置と、前記トナー像が転写される転写材を担持搬送する転写材搬送部材と、前記転写材搬送部材に担持された転写材に前記感光体上のトナー像を転写する転写装置と、トナー像転写後の前記感光体表面を清掃するクリーニング装置とを備え、前記転写材搬送部材に付着した不要なトナーを静電的に前記感光体に逆転写させて前記クリーニング装置によって除去する画像形成装置において、前記感光体に対向する前記現像装置の開口部の長手方向両端部近傍から漏れ出て前記感光体を介して前記転写材搬送部材に付着するトナーを端部漏れトナーとしたときに、前記転写材搬送部材の移動方向に沿っての前記感光体の上流側に配設されて、前記端部漏れトナーが付着する前記転写材搬送部材上の領域に当接するとともに、前記端部漏れトナーを前記転写材搬送部材から前記感光体に逆転写される極性に帯電する漏れトナー帯電部材を備えたことを特徴とする。
【手続補正３】
【補正対象書類名】明細書
【補正対象項目名】００１６
【補正方法】変更
【補正の内容】
【００１６】
請求項２に係る発明は、請求項１に記載の画像形成装置において、前記クリーニング装置が前記感光体表面をクリーニングする領域をクリーニング部材有効面長としたときに、前記クリーニング部材有効面長が、前記現像装置の開口部の長手方向の両端部間の距離よりも長く設定されていることを特徴とする。
【手続補正４】
【補正対象書類名】明細書
【補正対象項目名】００１７
【補正方法】変更
【補正の内容】
【００１７】
請求項３に係る発明は、請求項２に記載の画像形成装置において、前記帯電装置が前記感光体表面を帯電する領域を帯電装置有効面長、前記漏れトナー帯電部材が前記転写材搬送部材と接触する領域を漏れトナー帯電部材有効面長としたときに、前記帯電装置有効面長と前記漏れトナー帯電部材有効面長とが、前記現像装置の開口部の長手方向の両端部間の距離よりも長く設定されていることを特徴とする。
【手続補正５】
【補正対象書類名】明細書
【補正対象項目名】００１８
【補正方法】変更
【補正の内容】
【００１８】
請求項４に係る発明は、請求項２又は３に記載の画像形成装置において、前記転写材搬送部材の移動方向に沿っての前記感光体の上流側で、前記転写材搬送部材に当接するように配設されて、転写材を帯電させて前記転写材搬送部材に吸着させる吸着部材を備え、前記吸着部材の長手方向の有効面長を、前記現像装置の開口部の長手方向の両端部間の距離よりも長く設定することにより、前記吸着部材に前記漏れトナー帯電部材を兼ねさせたことを特徴とする。
請求項５に係る発明は、請求項２又は３に記載の画像形成装置において、前記転写材搬送部材の移動方向に沿っての前記感光体の上流側で、前記転写材搬送部材に当接するように配設されて、転写材を帯電させて前記転写材搬送部材に吸着させる吸着部材を備え、前記漏れトナー帯電部材は、前記吸着部材の長手方向の有効面長の外側における前記端部漏れトナーが付着する前記転写材搬送部材上の領域に当接するように配設された専用の部材であることを特徴とする。
【手続補正６】
【補正対象書類名】明細書
【補正対象項目名】００１９
【補正方法】変更
【補正の内容】
【００１９】
請求項６に係る発明は、表面が移動可能な感光体と、前記感光体表面を帯電させる帯電装置と、帯電後の前記感光体表面を露光して静電潜像を形成する露光装置と、前記静電潜像にトナーを付着させてトナー像として現像する現像装置と、前記トナー像が転写される中間転写体と、前記感光体上のトナー像を前記中間転写体に転写する第１の転写装置と、前記中間転写体上のトナー像を転写材に転写する第２の転写装置と、トナー像転写後の前記感光体表面を清掃するクリーニング装置とを備え、前記中間転写体に付着した不要なトナーを静電的に前記感光体に逆転写させて前記クリーニング装置によって除去する画像形成装置において、前記感光体に対向する前記現像装置の開口部の長手方向両端部近傍から漏れ出て前記感光体を介して前記中間転写体に付着するトナーを端部漏れトナーとしたときに、前記中間転写体の移動方向に沿っての前記感光体の上流側に配設されて、前記端部漏れトナーが付着する前記中間転写体上の領域に当接するとともに、前記端部漏れトナーを前記中間転写体から前記感光体に逆転写される極性に帯電する漏れトナー帯電部材を備えたことを特徴とする。
請求項７に係る発明は、表面が移動可能な感光体と、前記感光体表面を帯電させる帯電装置と、帯電後の前記感光体表面を露光して静電潜像を形成する露光装置と、前記静電潜像にトナーを付着させてトナー像として現像する現像装置と、前記トナー像が転写される転写材を担持搬送する転写材搬送部材と、前記転写材搬送部材に担持された転写材に前記感光体上のトナー像を転写する転写装置と、トナー像転写後の前記感光体表面を清掃するクリーニング装置とを備える画像形成装置において、前記感光体に対向する前記現像装置の開口部の長手方向両端部近傍から漏れ出て前記感光体を介して前記転写材搬送部材に付着するトナーを端部漏れトナーとしたときに、前記転写材搬送部材の移動方向に沿っての前記感光体の上流側に配設されて、前記端部漏れトナーが付着する前記転写材搬送部材上の領域に当接するとともに、前記端部漏れトナーを前記転写材搬送部材から前記感光体に逆転写される極性に帯電する漏れトナー帯電部材を備え、かつ、前記クリーニング装置が前記感光体表面をクリーニングする領域をクリーニング部材有効面長としたときに、前記クリーニング部材有効面長が、前記現像装置の開口部の長手方向の両端部間の距離よりも長く設定されていることを特徴とする。